(57)【特許請求の範囲】
【請求項１】
押下操作を受け付ける押しボタンの操作方向から外れた位置に電子基板が設けられた電子機器であって、
前記押しボタンの押下操作を検出する検出スイッチを前記電子基板に設け、
前記検出スイッチは、前記電子基板の下面側に設けられており、
前記押しボタンは、前記電子基板の側部に隣接して設けられ、押下操作を受け付ける上下動可能な操作面部と、該操作面部の一縁部から前記電子基板の下面側へと突出し、前記操作面部の上下動作と逆方向に動作することで前記検出スイッチを押圧操作する検出アーム部とを有し、
前記押しボタンは、前記操作面部と、前記検出アーム部の前記検出スイッチを押圧する押圧部との間となる位置に回動支点を有し、
前記電子基板は、その下面側に設けられた回動支点を介して回動することで押下操作を受け付ける操作入力部に設けられた基板であり、
前記押しボタンの回動支点の軸線方向と、前記操作入力部の回動支点の軸線方向とが平行しており、前記操作入力部の回動支点の軸線方向で見た場合に該操作入力部の回動支点と前記検出スイッチとが重なる位置に配置されていることを特徴とする電子機器。
【請求項２】
押下操作を受け付ける押しボタンの操作方向から外れた位置に電子基板が設けられた電子機器であって、
前記押しボタンの押下操作を検出する検出スイッチを前記電子基板に設け、
前記検出スイッチは、前記電子基板の下面側に設けられており、
前記押しボタンは、前記電子基板の側部に隣接して設けられ、押下操作を受け付ける上下動可能な操作面部と、該操作面部の一縁部から前記電子基板の下面側へと突出し、前記操作面部の上下動作と逆方向に動作することで前記検出スイッチを押圧操作する検出アーム部とを有し、
前記押しボタンは、前記操作面部の前記検出アーム部が設けられた一縁部とは反対側の他縁部に設けられた第１回動支点と、前記操作面部と前記検出アーム部の前記検出スイッチを押圧する押圧部との間となる位置に設けられた第２回動支点と、前記第１回動支点と前記第２回動支点の間となる位置に設けられ、前記操作面部と前記検出アーム部の動作方向を変換する方向変換部とを有し、
前記電子基板は、その下面側に設けられた回動支点を介して回動することで押下操作を受け付ける操作入力部に設けられた基板であり、
前記押しボタンの回動支点の軸線方向と、前記操作入力部の回動支点の軸線方向とが平行しており、前記操作入力部の回動支点の軸線方向で見た場合に該操作入力部の回動支点と前記検出スイッチとが重なる位置に配置されていることを特徴とする電子機器。
【請求項３】
請求項１又は２に記載の電子機器において、
前記電子基板は、タッチ操作を受け付けるタッチパッドに対するタッチ操作を検出するための基板であることを特徴とする電子機器。
【発明の詳細な説明】
【技術分野】
【０００１】
本発明は、押下操作を受け付ける押しボタンを備えた電子機器に関する。
【背景技術】
【０００２】
ノートブック型パーソナルコンピュータ（ノート型ＰＣ）やタブレット型パーソナルコンピュータ（タブレット型ＰＣ）等の電子機器では、タッチパッドやキーボード装置、ディスプレイ装置等の電子基板を設けた機器の側部に押下操作を受け付ける押しボタンを有する構成が一般的に用いられている。
【０００３】
例えば特許文献１には、マウスの代替となるタッチパッド及びポインティングスティックを有し、これらタッチパッド及びポインティングスティックと併用されることでマウスの左ボタンや右ボタンに対応したクリック操作ボタン（マウスボタン）となる押しボタンをタッチパッドの手前側及び奥側に設けたノート型ＰＣが開示されている。
【先行技術文献】
【特許文献】
【０００４】
【特許文献１】特開２００３−３０８１６６号公報
【発明の概要】
【発明が解決しようとする課題】
【０００５】
ところで、従来では、押しボタンはその操作面の下側に設けられたパンタグラフ構造の支持部材やラバードーム等によって上下動可能に支持され、その下部に設けた検出スイッチによって押下操作を検出する構成が一般に用いられている。このため、押しボタンの上下動作及びその検出に要する部品点数が多く、コストが増加すると共に製造効率も低下し、さらにノート型ＰＣ等の筐体の薄型化の障壁にもなっている。しかも、上記特許文献１のようにタッチパッドの側部に押しボタンを併設した構成では、押しボタンの下部に設けた検出スイッチからタッチパッド用の電子基板まで配線ケーブルを接続する必要があり、コスト低減や薄型化が一層難しいものとなっている。
【０００６】
本発明は、上記従来技術の課題を考慮してなされたものであり、コストを低減し筐体を薄型化することができる電子機器を提供することを目的とする。
【課題を解決するための手段】
【０００７】
本発明に係る電子機器は、押下操作を受け付ける押しボタンの操作方向から外れた位置に電子基板が設けられた電子機器であって、前記押しボタンの押下操作を検出する検出スイッチを前記電子基板に設けたことを特徴とする。
【０００８】
このような構成によれば、押しボタンの下方に検出スイッチ等を設ける必要がなく、またこのような検出スイッチから電子基板まで配線ケーブル等を接続する必要もない。すなわち、押しボタンの検出スイッチを隣接した電子基板で兼用しているため、押しボタンの下方から検出スイッチや配線ケーブル等を排除することができ、部品点数を低減して製造効率を向上させ、コスト低減と薄型化を図ることができる。
【０００９】
前記検出スイッチは、前記電子基板の下面側に設けられており、前記押しボタンは、前記電子基板の側部に隣接して設けられ、押下操作を受け付ける上下動可能な操作面部と、該操作面部の一縁部から前記電子基板の下面側へと突出し、前記操作面部の上下動作と逆方向に動作することで前記検出スイッチを押圧操作する検出アーム部とを有する構成であってもよい。そうすると、操作面部を押下操作することで、検出アーム部が操作面部と逆方向に動作作するため、操作面部の押下操作によって電子基板の下面側に設けた検出スイッチを検出アーム部で確実にオンオフ操作することができる。
【００１０】
前記押しボタンは、前記操作面部と、前記検出アーム部の前記検出スイッチを押圧する押圧部との間となる位置に回動支点を有する構成であるとよい。そうすると、操作面部を押下操作することで検出アーム部の押圧部を操作面部とは逆方向に確実に動作させ、検出スイッチをより確実にオンオフ操作することができる。
【００１１】
前記押しボタンは、前記操作面部の前記検出アーム部が設けられた一縁部とは反対側の他縁部に設けられた第１回動支点と、前記操作面部と前記検出アーム部の前記検出スイッチを押圧する押圧部との間となる位置に設けられた第２回動支点と、前記第１回動支点と前記第２回動支点の間となる位置に設けられ、前記操作面部と前記検出アーム部の動作方向を変換する方向変換部とを有する構成であってもよい。そうすると、操作面部を押下操作することで検出アーム部が操作面部と逆方向に動作作するため、操作面部の押下操作によって電子基板の下面側に設けた検出スイッチを検出アーム部で確実にオンオフ操作することができる。またこの構成では、方向変換部で操作面部と検出アーム部の動作方向を変換しているため、例えば操作面部の押下位置を検出アーム部側に配置した場合でも検出スイッチを確実にオンオフ操作することができる。
【００１２】
前記電子基板は、その下面側に設けられた回動支点を介して回動することで押下操作を受け付ける操作入力部に設けられた基板であり、前記押しボタンの回動支点の軸線方向と、前記操作入力部の回動支点の軸線方向とが平行しており、前記操作入力部の回動支点の軸線方向で見た場合に該操作入力部の回動支点と前記検出スイッチとが重なる位置に配置された構成であってもよい。そうすると、操作入力部の検出用の基板をその周辺に設けられる押しボタンの検出用として有効に利用できる。しかも、押しボタンの回動支点の軸線方向と操作入力部の回動支点の軸線方向とが平行している構成とした場合であっても、操作入力部の回動支点の軸線方向で見た場合に操作入力部の回動支点と検出スイッチとが重なる位置に配置されることで、押しボタンとタッチパッドの互いの押下操作が干渉し、誤操作を生じることを防止できる。
【００１３】
前記電子基板は、タッチ操作を受け付けるタッチパッドに対するタッチ操作を検出するための基板であってもよい。そうすると、タッチパッドのタッチ操作検出用の基板をその周辺に設けられる押しボタンの検出用として有効に利用できる。
【発明の効果】
【００１４】
本発明によれば、押しボタンの検出スイッチを隣接した電子基板で兼用しているため、押しボタンの下方から検出スイッチや配線ケーブル等を排除することができ、部品点数を低減して製造効率を向上させ、コスト低減と薄型化を図ることができる。
【図面の簡単な説明】
【００１５】
【図１】図１は、本発明の一実施形態に係る電子機器の斜視図である。
【図２】図２は、本発明の一実施形態に係る電子機器に搭載した入力装置の斜視図である。
【図３】図３は、図２に示す入力装置の構成を模式的に示す側面断面図である。
【図４】図４は、図３に示す入力装置のタッチパッドを押下操作した状態を示す図である。
【図５】図５は、図３に示す押しボタンが押下操作された状態を示す拡大図である。
【図６】図６は、図１に示す電子機器に搭載される入力装置の変形例に係る入力装置の構成を示す側面断面図であり、図６（Ａ）は、押しボタンが押下操作されていない状態を示す図であり、図６（Ｂ）は、押しボタンが押下操作された状態を示す図である。
【図７】図７は、図６に示す入力装置の変形例に係る入力装置の構成を示す側面断面図である。
【図８】図８は、キーボード装置の電子基板に押しボタンの検出スイッチを設けた構成例を示す図である。
【図９】図９は、タブレット型ＰＣで構成された電子機器のディスプレイ装置の電子基板に押しボタンの検出スイッチを設けた構成例を示す図である。
【発明を実施するための形態】
【００１６】
以下、本発明に係る電子機器について好適な実施の形態を挙げ、添付の図面を参照しながら詳細に説明する。
【００１７】
図１は、本発明の一実施形態に係る電子機器１０の斜視図である。以下では、電子機器１０について図１に示す使用形態を基準とし、手前側を前側（前方）、奥側を後側（後方）と呼び、電子機器１０を構成する本体筐体１４の厚み方向を上下方向、幅方向を左右方向と呼んで説明する。
【００１８】
図１に示すように、電子機器１０は、入力装置１２及びキーボード装置１６を有する本体筐体１４と、液晶ディスプレイ等のディスプレイ装置１８ａを有するディスプレイ筐体１８とを備えたノート型ＰＣである。ディスプレイ筐体１８は、左右一対のヒンジ１９，１９により本体筐体１４に対して開閉可能に連結されている。
【００１９】
本体筐体１４の内部には、図示しない基板、演算処理装置、ハードディスク装置、メモリ等の各種電子部品が収納されている。入力装置１２及びキーボード装置１６は、本体筐体１４の上面１４ａで前後に並んでいる。キーボード装置１６の略中央にはポインティングスティック２０が設けられている。ポインティングスティック２０はディスプレイ装置１８ａに表示されるカーソル（マウスポインタ）を操作するためのものであり、マウスの代わりとして操作可能な入力手段である。
【００２０】
次に、入力装置１２の構成例について説明する。
【００２１】
図２は、本発明の一実施形態に係る電子機器１０に搭載された入力装置１２の斜視図である。図３は、図２に示す入力装置１２の構成を模式的に示す側面断面図であり、図４は、図３に示す入力装置１２のタッチパッド２２を押下操作した状態を示す図である。また、図５は、図３に示す押しボタン２４ａが押下操作された状態を示す拡大図である。
【００２２】
図１〜図３に示すように、入力装置１２は、指先等の接近又は接触によるタッチ操作を受け付けるタッチパッド（操作入力部）２２と、タッチパッド２２の後側部に沿って並んだ３個の押しボタン２４ａ，２４ｂ，２４ｃとを備える。図２及び図３に示すように、タッチパッド２２及び押しボタン２４ａ〜２４ｃは、金属製の板状部材であるベースプレート２６の上面側に支持されている。
【００２３】
先ず、タッチパッド２２は、タッチ操作に加えて押下操作によるクリック動作が可能なクリックパッドとして構成されている。
【００２４】
図２に示すように、タッチパッド２２の表面であるタッチ操作面２２ａの前側には、疑似ボタン領域２８ａ，２８ｂが設定されている。疑似ボタン領域２８ａ，２８ｂは、タッチ操作面２２ａ上でのそれぞれの領域が座標で定義されたものであり、視認できるものではない。疑似ボタン領域２８ａ，２８ｂいずれかに指先を接触させた状態でタッチパッド２２を押下操作すると、その疑似ボタン領域２８ａ，２８ｂに対応した処理や表示が行われる。例えば、２つの疑似ボタン領域２８ａ，２８ｂは、それぞれ一般的なマウスでの左ボタン、右ボタンに対応する。
【００２５】
図３に示すように、タッチパッド２２は、ベースプレート２６に対面配置される底面板となるハウジングプレート３０と、ハウジングプレート３０の上面に積層され、タッチ操作面２２ａに対するタッチ操作を検出する基板プレート３２と、基板プレート３２の上部に積層され、その表面がタッチ操作を受け付けるタッチ操作面２２ａとなるパッドプレート３４とを有する３層構造である。
【００２６】
基板プレート３２は平面視矩形状の電子基板であり、図示しない配線によって本体筐体１４内の基板に接続されている。基板プレート３２は、パッドプレート３４へのタッチ操作及びタッチパッド２２に対する押下操作を検出するセンサであると共に、押しボタン２４ａ〜２４ｃに対する押下操作を検出するセンサでもある。
【００２７】
基板プレート３２の後端側下面には、各押しボタン２４ａ〜２４ｃの押下操作を検出する検出スイッチ３５ａ〜３５ｃが左右方向に沿って並んで設けられている（図２及び図３参照）。検出スイッチ３５ａ〜３５ｃは、例えば基板プレート３２の下面から膨出したメタルドームスイッチであり、ハウジングプレート３０の切欠部分から下方に露出している。検出スイッチ３５ａ〜３５ｃは、押しボタン２４ａ〜２４ｃが押下された際に後述する押しボタン２４ａ〜２４ｃの検出アーム部５２によって押圧されることでオンされ、このオン信号が基板プレート３２によって検出される。
【００２８】
パッドプレート３４は平面視矩形状のガラス板や樹脂板であり、基板プレート３２の上面に接着剤や両面テープ等によって固着されている。
【００２９】
ハウジングプレート３０は平面視矩形状の樹脂板であり、基板プレート３２及びパッドプレート３４を保持する筐体部材である。ハウジングプレート３０の上面には基板プレート３２が接着剤や両面テープ等によって固着されている。
【００３０】
ハウジングプレート３０の後端側には、後方に向かって延在し、ある程度の弾性が付与された片持ち構造の弾性爪部３６が設けられている。弾性爪部３６は、基板プレート３２の下面に対して固着されず且つ少なくともその先端が基板プレート３２との間に所定の隙間を設けて配設されることで、その上面と基板プレート３２の下面との間にベースプレート２６の上面を切り起こして形成した突出片４０を挟み込んでいる。突出片４０の下方には、ベースプレート２６の上面に形成された板ばね状の弾性押圧部４１が配置され、ハウジングプレート３０の弾性爪部３６を突出片４０との間に挟み込んでいる。弾性爪部３６、突出片４０及び弾性押圧部４１は、左右方向に複数並んで設けられている。
【００３１】
ハウジングプレート３０の前端側にはラッチ部４２が左右一対設けられている。各ラッチ部４２は平面視略Ｖ字形状であり、ベースプレート２６の上面で断面Ｌ字状に起立形成された結合用フック４４に係合される。これらラッチ部４２及び結合用フック４４はベースプレート２６に対してハウジングプレート３０を重ねる方向に結合する部分であると共に、タッチパッド２２の上昇限度を規定すると同時に上方への抜け止めとしても機能する。
【００３２】
ハウジングプレート３０は、各弾性爪部３６がベースプレート２６の各突出片４０（及び各弾性押圧部４１）に対して回動可能に係合されることで、この係合部分を回動支点としてベースプレート２６に対して回動可能である（図４参照）。
【００３３】
図３に示すように、ハウジングプレート３０の下面略中央の前端付近には、クリック検出スイッチ４５が配設されている。クリック検出スイッチ４５は、タッチパッド２２が押下操作された際に所定の検出信号を発信するものである。クリック検出スイッチ４５は、例えばハウジングプレート３０の下面から膨出したメタルドームスイッチであり、タッチパッド２２が押下された際にベースプレート２６上に当接することでオンされ、このオン信号が基板プレート３２によって検出される。
【００３４】
従って、図４に示すようにタッチパッド２２のタッチ操作面２２ａを押下操作すると、ハウジングプレート３０の弾性爪部３６とベースプレート２６の突出片４０との係合部分を回動支点としてタッチパッド２２の前側部分が押し下げられ、クリック検出スイッチ４５がオンされる。
【００３５】
次に、押しボタン２４ａ〜２４ｃは、ポインティングスティック２０又はタッチパッド２２によるカーソル操作と連係して機能するものであり、それぞれ一般的なマウスでの左ボタン、中央ボタン、右ボタンに対応するクリック操作ボタンである。押しボタン２４ａ〜２４ｃはタッチパッド２２の前側部や左右側部に配置されてもよく、タッチパッド２２との間に本体筐体１４のフレームを介在して配置されてもよい。
【００３６】
図２及び図３に示すように、左側の押しボタン２４ａは、押下操作を受け付ける上下動可能な操作面部５０と、操作面部５０の前縁部から前方へと突出した検出アーム部５２とを備える。なお、右側の押しボタン２４ｃは左側の押しボタン２４ａと左右対称構造であって実質的に同一構造であり、中央の押しボタン２４ｂはその形状や大きさは押しボタン２４ａ，２４ｃと異なるが、その押下操作に対する上下動の構造等は実質的に同一構造である。そこで、これら押しボタン２４ｂ，２４ｃについては、押しボタン２４ａの各要素と同一又は同様な機能及び効果を奏する要素には同一の参照符号を付し、詳細な説明を省略する。
【００３７】
操作面部５０は、タッチパッド２２の後側部に隣接して設けられたボタン部分である。操作面部５０は、その後端部に後下がりの傾斜面が設けられることにより、例えばポインティングスティック２０を人差し指で操作しながら親指で良好に押下操作することができる。検出アーム部５２は、操作面部５０の前縁部から前下がりに突出することでタッチパッド２２の下面側に差し込まれる。検出アーム部５２の先端側（前端側）の上面には、基板プレート３２の検出スイッチ３５ａを押圧する突起状の押圧部５２ａが設けられている。突起状の押圧部５２ａを設けず、検出アーム部５２の上面を押圧部として利用しても勿論よい。
【００３８】
押しボタン２４ａは、操作面部５０と検出アーム部５２の押圧部５２ａとの間となる位置、本実施形態では操作面部５０と検出アーム部５２の連結部分に当該押しボタン２４ａの回動支点となる回動軸部５４が設けられたシーソー構造である。回動軸部５４は、操作面部５０と検出アーム部５２の連結部分から下方に突出し、その先端がベースプレート２６の上面に着地した突出部である。回動軸部５４をベースプレート２６側に設け、ベースプレート２６の上面から上方に突出させて押しボタン２４ａを支持する構成としてもよい。
【００３９】
図３及び図４に示すように、押しボタン２４ａは、回動軸部５４がベースプレート２６上に着地し、検出アーム部５２がベースプレート２６とタッチパッド２２（基板プレート３２）との間に挿入されることでベースプレート２６上で回動可能に支持されている。
【００４０】
図５に示すように、押しボタン２４ａ（２４ｂ，２４ｃ）の操作面部５０を押下操作すると、回動軸部５４を回動支点として操作面部５０が下方へと押し下げられる一方、回動軸部５４の反対側にある検出アーム部５２が操作面部５０とは逆方向、つまり上方へと押し上げられる。これにより、押圧部５２ａによって基板プレート３２下面の検出スイッチ３５ａ（３５ｂ，３５ｃ）が押圧され、オンされる。
【００４１】
すなわち、検出アーム部５２はその動作方向が操作面部５０の上下動作の方向と逆方向になることで基板プレート３２下面の検出スイッチ３５ａ（３５ｂ，３５ｃ）を押圧操作可能とされている。そこで、押しボタン２４ａ（２４ｂ，２４ｃ）の回動支点となる回動軸部５４は、操作面部５０と押圧部５２ａとをシーソーのように逆方向に上下動させることができる位置、つまり操作面部５０と検出アーム部５２の押圧部５２ａとの間となる位置に設定されていればよい。
【００４２】
以上のように、本実施形態に係る電子機器１０では、押下操作を受け付ける押しボタン２４ａ（２４ｂ，２４ｃ）の操作方向から外れた位置、つまり押しボタン２４ａ（２４ｂ，２４ｃ）の上下動作範囲以外に電子基板である基板プレート３２を設けた構成において、押しボタン２４ａ（２４ｂ，２４ｃ）の押下操作を検出する検出スイッチ３５ａ（３５ｂ，３５ｃ）を基板プレート３２に設けている。
【００４３】
従って、押しボタン２４ａ（２４ｂ，２４ｃ）の操作面部５０の下方に検出スイッチやその押圧操作を補助するラバードーム等を設ける必要がなく、またこのような検出スイッチから基板プレート３２まで配線ケーブル等を接続する必要もない。すなわち、押しボタン２４ａ（２４ｂ，２４ｃ）の検出スイッチ３５ａ（３５ｂ，３５ｃ）を隣接した基板プレート３２で兼用しているため、押しボタン２４ａ（２４ｂ，２４ｃ）の下方から検出スイッチや配線ケーブル等を排除することができ、部品点数を低減して製造効率を向上させ、コスト低減と薄型化を図ることができる。換言すれば、押しボタン２４ａ（２４ｂ，２４ｃ）の操作面部５０の下方にスペースを確保できるため、この部分のベースプレート２６を切り欠く等すれば、当該電子機器１０のバッテリ等の他の機器を設置することもできる。
【００４４】
検出スイッチ３５ａ（３５ｂ，３５ｃ）は、基板プレート３２の下面側に設けられており、押しボタン２４ａ（２４ｂ，２４ｃ）は基板プレート３２の側部に隣接して設けられ、押下操作を受け付ける上下動可能な操作面部５０と、操作面部５０の一縁部から基板プレート３２の下面側へと突出し、操作面部５０の上下動作と逆方向に動作することで検出スイッチ３５ａ（３５ｂ，３５ｃ）を押圧操作する検出アーム部５２とを有する。これにより、操作面部５０を押下操作することで、検出アーム部５２が操作面部５０と逆方向に動作するため、操作面部５０の押下操作によって基板プレート３２の下面側に設けた検出スイッチ３５ａ（３５ｂ，３５ｃ）を検出アーム部５２で確実にオンオフ操作することができる。
【００４５】
この場合、押しボタン２４ａ（２４ｂ，２４ｃ）は、操作面部５０と検出アーム部５２の検出スイッチ３５ａ（３５ｂ，３５ｃ）を押圧する押圧部５２ａとの間となる位置に回動支点となる回動軸部５４を有する。これにより、操作面部５０を押下操作することで検出アーム部５２の押圧部５２ａを操作面部５０とは逆方向に確実に動作させ、検出スイッチ３５ａ（３５ｂ，３５ｃ）をより確実にオンオフ操作することができる。
【００４６】
本実施形態の場合、押しボタン２４ａ（２４ｂ，２４ｃ）の回動支点となる回動軸部５４の軸線方向と、タッチパッド２２の回動支点（弾性爪部３６と突出片４０の係合部分）の軸線方向とが共に左右方向で平行した構成であり（図３〜図５参照）、タッチパッド２２の回動支点の軸線方向（左右方向）で見た場合に該タッチパッド２２の回動支点と検出スイッチ３５ａ（３５ｂ，３５ｃ）とが重なる位置に配置されている。つまり、タッチパッド２２の回動支点となる弾性爪部３６と突出片４０の係合部分の側方に検出スイッチ３５ａ（３５ｂ，３５ｃ）が配設されている。これにより、押しボタン２４ａ（２４ｂ，２４ｃ）とタッチパッド２２の互いの押下操作が干渉することを防止できる。すなわち、押しボタン２４ａ（２４ｂ，２４ｃ）を押下操作した際にタッチパッド２２が従動的に動作して誤操作されることが防止されると同時に、タッチパッド２２を押下操作した際に押しボタン２４ａ（２４ｂ，２４ｃ）が従動的に動作して誤操作されることが防止される。
【００４７】
図６は、図１に示す電子機器１０に搭載される入力装置１２の変形例に係る入力装置１２Ａの構成を示す側面断面図であり、図６（Ａ）は、押しボタン６０ａが押下操作されていない状態を示す図であり、図６（Ｂ）は、押しボタン６０ａが押下操作された状態を示す図である。
【００４８】
図６（Ａ）及び図６（Ｂ）に示すように、入力装置１２Ａは、図３及び図５に示す入力装置１２の押しボタン２４ａ〜２４ｃと構造の異なる押しボタン６０ａ〜６０ｃを備える。なお、この入力装置１２Ａにおいても、押しボタン６０ａ〜６０ｃの押下操作に対する上下動の構造等は実質的に同一構造であるため、押しボタン６０ｂ，６０ｃについては詳細な説明を省略する。
【００４９】
図６（Ａ）に示すように、押しボタン６０ａは、操作面部５０と検出アーム部５２との間がヒンジ部６２によって連結されると共に、操作面部５０の後端縁部に第１回動軸部６４が設けられ、検出アーム部５２の後端側に第２回動軸部６５が設けられている。
【００５０】
第１回動軸部６４は、操作面部５０の後端縁部を折り返して形成され、ベースプレート２６の後端縁部に立脚形成されたフック状の支持片６６に対して回動可能に係合されることで、操作面部５０の回動支点（第１回動支点）となる。第２回動軸部６５は、ヒンジ部６２と検出アーム部５２の押圧部５２ａとの間となる位置、本実施形態では検出アーム部５２の後端側となる位置から下方に突出し、その先端がベースプレート２６の上面に着地した突出部である。第２回動軸部６５をベースプレート２６側に設け、ベースプレート２６の上面から上方に突出させて押しボタン２４ａを支持する構成としてもよい。
【００５１】
ヒンジ部６２は、操作面部５０と検出アーム部５２の動作方向を変換する方向変換部となる部分であり、例えば可撓性を持った樹脂シートによって形成される。
【００５２】
押しボタン６０ａは、操作面部５０の後側に設けた第１回動軸部６４及び前側に設けた第２回動軸部６５の２つの回動支点を用いて操作面部５０及び検出アーム部５２が上下動作する構成とされている。すなわち、図６（Ｂ）に示すように、押しボタン６０ａ（６０ｂ，６０ｃ）の操作面部５０を押下操作すると、第１回動軸部６４を回動支点として操作面部５０の前端側が下方へと押し下げられる一方、検出アーム部５２の後端側が操作面部５０と共にヒンジ部６２によって押し下げられることで、検出アーム部５２の前端側が第２回動軸部６５を回動支点として操作面部５０とは逆方向、つまり上方へと押し上げられる。これにより、押圧部５２ａによって基板プレート３２下面の検出スイッチ３５ａ（３５ｂ，３５ｃ）が押圧され、オンされる。
【００５３】
このような押しボタン６０ａ（６０ｂ，６０ｃ）の場合にも、検出アーム部５２はその動作方向が操作面部５０の上下動作の方向と逆方向になることで基板プレート３２下面の検出スイッチ３５ａ（３５ｂ，３５ｃ）を押圧操作可能である。そこで、押しボタン６０ａ（６０ｂ，６０ｃ）の第１回動支点となる回動軸部６４は操作面部５０の検出アーム部５２が設けられた前縁部よりも後側となる位置に設定されていればよい。また、第２回動支点となる回動軸部６５は操作面部５０と検出アーム部５２の押圧部５２ａとの間となる位置に設定されていればよく、ヒンジ部６２は２つの回動軸部６４，６５間となる位置に設定されていればよい。
【００５４】
従って、このようなヒンジ部６２を設けた押しボタン６０ａ（６０ｂ，６０ｃ）を備えた構成であっても、上記した押しボタン２４ａ（２４ｂ，２４ｃ）を備えた構成の場合と同様、コストを低減し薄型化を図ることが可能となる。また、押しボタン６０ａ（６０ｂ，６０ｃ）では、方向変換部となるヒンジ部６２で操作面部５０と検出アーム部５２の動作方向を変換しているため、図６に示すように操作面部５０の押下位置を検出アーム部５２側（前端側）に設定した場合でも検出スイッチ３５ａ（３５ｂ，３５ｃ）を確実にオンオフ操作することができる。
【００５５】
図７は、図６に示す入力装置１２Ａの変形例に係る入力装置１２Ｂの構成を示す側面断面図である。
【００５６】
図７に示すように、入力装置１２Ｂは、図６に示す入力装置１２Ａの押しボタン６０ａ〜６０ｃと構造の異なる押しボタン７０ａ〜７０ｃを備える。この押しボタン７０ａ（７０ｂ，７０ｃ）は、操作面部５０と検出アーム部５２との間にヒンジ部６２を設けておらず、操作面部５０の前端部が検出アーム部５２の後端部を押下可能な状態で当接配置されている。
【００５７】
従って、押しボタン７０ａ（７０ｂ，７０ｃ）の場合にも、操作面部５０を押下操作すると、第１回動軸部６４を回動支点として操作面部５０の前端側が下方へと押し下げられる一方、検出アーム部５２の後端側が操作面部５０の前端部によって押し下げられることで、検出アーム部５２の前端側が第２回動軸部６５を回動支点として操作面部５０とは逆方向、つまり上方へと押し上げられる。これにより、押圧部５２ａによって基板プレート３２下面の検出スイッチ３５ａ（３５ｂ，３５ｃ）が押圧され、オンされる。すなわち、操作面部５０の前端部と検出アーム部５２の後端部との当接位置が操作面部５０と検出アーム部５２の動作方向を変換する方向変換部となる。
【００５８】
従って、このような押しボタン７０ａ（７０ｂ，７０ｃ）を備えた構成では、操作面部５０と検出アーム部５２との間にヒンジ部６２を設けることなく操作面部５０と検出アーム部５２の動作方向を逆にすることができ、部品構造を簡素化できる。
【００５９】
但し、押しボタン７０ａ（７０ｂ，７０ｃ）の場合は操作面部５０の前端側が上方に外れ易くなっているため、図７に示すように、操作面部５０の下面（裏面）に係合フック７２を突設し、この係合フック７２をベースプレート２６の上面に門形状に起立形成した係合孔７４に係合し、押しボタン７０ａ（７０ｂ，７０ｃ）ａの上昇限度を規定すると同時に上方への抜け止めとして機能させてもよい。勿論、これら係合フック７２及び係合孔７４からなる抜け止め構造は、構造が簡単で小型化も容易のため、上記した押しボタン２４ａ〜２４ｃ，６０ａ〜６０ｃの操作面部５０に適用してもよい。
【００６０】
なお、本発明は、上記した実施形態に限定されるものではなく、本発明の主旨を逸脱しない範囲で自由に変更できることは勿論である。
【００６１】
上記実施形態ではタッチパッド２２の側部に設けられる押しボタン２４ａ等の押下操作を検出する検出スイッチ３５ａ等をタッチパッド２２側の基板プレート３２に設けた構成を例示したが、図８に示すように、例えば押しボタン２４ａ，２４ｂをキーボード装置１６の側部に配設し、その検出スイッチ３５ａ，３５ｂをキーボード装置１６のキー操作を検出するための電子基板８０に設けた構成として利用することもできる。また、上記実施形態ではノート型ＰＣである電子機器１０を例示したが、本発明は、図９に示すようにタブレット型ＰＣである電子機器１０Ａに適用してもよい。この電子機器１０Ａでは、例えばディスプレイ装置８２の側部に押しボタン２４ａを配設し、その検出スイッチ３５ａをディスプレイ装置８２のタッチ操作検出用の電子基板８４に設けた構成として利用することもできる。さらに、本発明は、スマートフォンや電子手帳、タッチ操作面上をペン型デバイスを用いて入力操作するペン型入力手段（ペンタブレット）等の各種電子機器に適用可能である。
【符号の説明】
【００６２】
１０，１０Ａ  電子機器
１２，１２Ａ，１２Ｂ  入力装置
１４  本体筐体
１６  キーボード装置
１８  ディスプレイ筐体
１８ａ，８２  ディスプレイ装置
２０  ポインティングスティック
２２  タッチパッド
２２ａ  タッチ操作面
２４ａ〜２４ｃ，６０ａ〜６０ｃ，７０ａ〜７０ｃ  押しボタン
２６  ベースプレート
３０  ハウジングプレート
３２  基板プレート
３４  パッドプレート
３５ａ〜３５ｃ  検出スイッチ
３６  弾性爪部
４０  突出片
４１  弾性押圧部
４５  クリック検出スイッチ
５０  操作面部
５２  検出アーム
５２ａ  押圧部
５４  回動軸部
６２  ヒンジ部
６４  第１回動軸部
６５  第２回動軸部
６６  支持片
８０，８４  電子基板
【要約】
【課題】コストを低減し筐体を薄型化することができる電子機器を提供する。
【解決手段】電子機器１０は、押下操作を受け付ける押しボタン２４ａ〜２４ｃの操作方向から外れた位置に電子基板である基板プレート３２を設けた構成である。この電子機器１０では、押しボタン２４ａ〜２４ｃの押下操作を検出する検出スイッチ３５ａ〜３５ｃが基板プレート３２の下面側に設けられ、押しボタン２４ａ〜２４ｃは、基板プレート３２の側部に隣接して設けられ、押下操作を受け付ける上下動可能な操作面部５０と、操作面部５０の一縁部から基板プレート３２の下面側へと突出し、操作面部５０の上下動作と逆方向に動作することで検出スイッチ３５ａ〜３５ｃを押圧操作する検出アーム部５２とを有する。
【選択図】図３【図１】
0006055041.tif 000002
【図２】
0006055041.tif 000003
【図３】
0006055041.tif 000004
【図４】
0006055041.tif 000005
【図５】
0006055041.tif 000006
【図６】
0006055041.tif 000007
【図７】
0006055041.tif 000008
【図８】
0006055041.tif 000009
【図９】
0006055041.tif 000010